(57)【要約】【課題】寝心地よく、直接その上に横になって眠ることが可能な木製マットを提供する。【解決手段】木製マット１は、木製で厚さ４ｍｍ〜７ｍｍ、幅１５ｍｍ〜３５ｍｍの複数の長尺板材１０と、二重に重ね合わされた可撓性の帯状部材が所定間隔で結着されており、筒状の非結着部に長尺板材１０を挿通させることにより、長尺板材１０を幅方向に連結している連結部材２０とを具備する。また、長尺板材１０の長軸方向に直交する方向において、全長Ｌに対して１／５〜２／５の長さの中間領域Ｍは、中間領域Ｍに隣り合う領域の幅Ｗ１の長尺板材１０より、幅広の幅Ｗ２の長尺板材１０で形成されている。【選択図】図１
2012055338.tif 000002
【特許請求の範囲】
【請求項１】
木製で厚さ４ｍｍ〜７ｍｍ、幅１５ｍｍ〜３５ｍｍの複数の長尺板材と、
二重に重ね合わされた可撓性の帯状部材が所定間隔で結着されており、筒状の非結着部に前記長尺板材を挿通させることにより、前記長尺板材を幅方向に連結している連結部材と
を具備することを特徴とする木製マット。
【請求項２】
前記長尺板材の長軸方向に直交する方向において、全長に対して１／５〜２／５の長さの中間領域は、該中間領域に隣り合う領域より幅の長い前記長尺板材で形成されている
ことを特徴とする請求項１に記載の木製マット。
【請求項３】
前記連結部材を二本のみ備え、前記長尺板材はそれぞれの一端側と他端側とで前記非結着部に挿通されることにより連結されている
ことを特徴とする請求項１または請求項２に記載の木製マット。
【請求項４】
前記帯状部材は伸縮性を備える
ことを特徴とする請求項１乃至請求項３の何れか一つに記載の木製マット。
【発明の詳細な説明】
【技術分野】
【０００１】
本発明は、寝具として使用する木製マットに関するものである。
【背景技術】
【０００２】
従前より、敷き布団やマットレスの下に敷く“すのこ”が公知である。これは、木製の平板の複数を間隔を空けて並べ、直交する方向に渡した角材に釘などで打ち付けて台状にしたものであり、通気性を確保することにより、敷き布団やマットレスに湿気がこもるのを防止する目的で使用されるものである。
【０００３】
本発明者は、木材の持つ調湿性や、木材の香り成分にリラックス効果などがあると言われていることに着目し、これらの木材の利点がより生かされた寝具として、直接その上に横になって眠ることが可能な木製マットを製作しようと考え、本発明に至ったものである。しかしながら、従来の“すのこ”の上に直接横臥したのでは、身体が痛く寝心地が悪い。
【発明の概要】
【発明が解決しようとする課題】
【０００４】
そこで、本発明は、上記の実情に鑑み、寝心地よく、直接その上に横になって眠ることが可能な木製マットの提供を、課題とするものである。
【課題を解決するための手段】
【０００５】
上記の課題を解決するため、本発明にかかる木製マットは、「木製で厚さ４ｍｍ〜７ｍｍ、幅１５ｍｍ〜３５ｍｍの複数の長尺板材と、二重に重ね合わされた可撓性の帯状部材が所定間隔で結着されており、筒状の非結着部に前記長尺板材を挿通させることにより、前記長尺板材を幅方向に連結している連結部材とを」具備している。
【０００６】
「木製」の長尺板材の材料としては、スギ、ヒノキ、キリ、マツ、ヒバ等、特に制限なく使用することができるが、一般的に香りが好まれているスギやヒノキが望ましい。また、集成材や合板も使用可能であるが、無垢材が望ましい。
【０００７】
「可撓性の帯状部材」は、布製や樹脂製とすることができる。この可撓性の帯状部材が「二重に重ね合わされた」態様としては、二枚の帯状部材が重ね合わされた態様、一枚の帯状部材が折り重ねられた態様の何れであっても良い。また、二重に重ね合わされた帯状部材が「結着」される態様としては、縫着、ステープラーによる綴じ合せ、帯状部材が樹脂製の場合の融着を例示することができる。
【０００８】
種々検討の結果、木製の長尺板材の厚さを４ｍｍ〜７ｍｍとし、幅を１５ｍｍ〜３５ｍｍとすることにより、人の体重を支える機械的強度を維持しつつ、長尺板材がたわむ作用を十分に得られることを見出した。これにより、敷き布団やマットレス等のクッション材の上に本発明の木製マットを置き、その上に横になれば、部分ごとにかかる体重に応じて長尺板材がたわみ、木製マットが身体のラインに沿う。従って、木製マットの上に直接横になっても、身体に痛みを感じることなく、寝心地が良い。また、一般的に、敷き布団やマットレスが柔らか過ぎる場合は、身体が沈み込んで寝返りが不自由になって寝苦しく、腰痛の原因ともなると言われているが、本発明の木製マットを敷けば、使用者の体重や体型に応じて木製マットがたわみつつ、適度な硬さを備える寝具となる。なお、長尺板材は、厚さ５ｍｍ〜６ｍｍ、幅２０ｍｍ〜３０ｍｍとすれば、機械的強度と身体のラインに沿ってたわむ作用とのバランスが良く、より望ましい。
【０００９】
そして、隣接する長尺板材の間には、連結部材が結着されている部分に応じて空隙が形成されているため、木製マットを敷くことにより、敷き布団やマットレス等と身体との間で通気性が確保される。これにより、気温の高い夏季においても、身体の下を空気が流通することによって温度の上昇が防止され、心地よく眠ることができる。また、木材には調湿作用があるため、敷き布団やマットレス等に湿気がこもりにくい。加えて、夏季の湿度の高い時期であっても、長尺板材が水分を吸収することによって、木製マットの表面自体はサラリとした感触であるため、肌ざわりが良いと共に、涼感を感じるものとなる。
【００１０】
一方、冬季には、身体の上から掛け布団を掛けることにより、長尺板材間の空隙の空気の層が保持される。空気の層は熱伝導率が低いため、体温によって空気の層が暖められると、その暖かさが保持されやすい。また、木材は布などに比べて熱容量が大きいため暖まりにくいものの、いったん暖まれば、その暖かさが保持され易い。更に、湿度の低い冬季には、木材の調湿作用により長尺板材から水分が供給され、木製マットの周囲が適度な湿度を有するものとなる。従って、冬季も本発明の木製マットを使用すれば、上記の作用の複合的な効果により、自然な暖かさをじんわりと感じて、心地よく眠ることができる。
【００１１】
加えて、本発明では、複数の長尺板材を連結する連結部材として、二重に重ね合わせて所定間隔で結着した帯状部材を使用している。これにより、結着されていない非結着部は筒状となるため、この非結着部に長尺板材を挿通するのみの簡易な作業で、複数の長尺板材を連結することができる。また、帯状部材の結着の仕方により、長尺板材の間隔を簡易に調整することが可能である。そして、連結部材は可撓性であるため、木製マットが身体のラインに沿ってたわむ作用を損なうことなく、長尺板材を連結することができる。
【００１２】
また、それぞれの長尺板材は厚さ４ｍｍ〜７ｍｍと薄く、幅も１５ｍｍ〜３５ｍｍと短い上に、可撓性の連結部材で連結されているため、不使用時には巻いた状態でコンパクトに収納することができる。
【００１３】
更に、木材の香りは、リラックス効果（鎮静効果）や疲労回復効果を有すると言われているところ、本発明の木製マットは、敷き布団やマットレス等の上に敷いて使用することができるため、敷き布団やマットレス等の下に敷く場合に比べて、身体に近いところで木の香りを嗅ぐことができる。
【００１４】
本発明にかかる木製マットは、上記構成において、「前記長尺板材の長軸方向に直交する方向において、全長に対して１／５〜２／５の長さの中間領域は、該中間領域に隣り合う領域より幅の長い前記長尺板材で形成されている」ものとすることができる。
【００１５】
上記構成の本発明では、全長に対して１／５〜２／５の長さの中間領域、すなわち、木製マットの全長を、人の身体全体をカバーすることができる長さ、或いは、肩部から足先までをカバーすることができる長さとした場合に、腰から尻が当たることとなる中間領域で、隣接する領域よりも長尺板材の幅を広くしている。ここで、腰から尻の部分は、寝具に人が横になった際に、最も体重がかかる部分である。従って、中間領域で長尺板材の幅を広くしていることにより、使用者の体重がかかる部分で機械的強度が高く、使用者の身体をより安定的に木製マットで支えることができる。
【００１６】
本発明にかかる木製マットは、上記構成において、「前記連結部材を二本のみ備え、前記長尺板材はそれぞれの一端側と他端側とで前記非結着部に挿通されることにより連結されている」ものとすることができる。
【００１７】
仮に、長尺板材がそれぞれの中間部分でも連結されている場合は、木製マットの機械的強度は増す一方で、それぞれの長尺板材のたわみは減少する。これに対し、上記構成の本発明では、長尺板材は両端側でのみ連結部材で連結されており、長尺板材はそれぞれの中間部分では隣接する長尺板材と連結されていない。従って、敷き布団やマットレス等の上に敷いた木製マットの上に人が横になったとき、それぞれの長尺板材が十分にたわむことができ、木製マットが身体のラインに沿う上記の作用を、より効果的に発揮することができる。
【００１８】
本発明にかかる木製マットは、上記構成において、「前記帯状部材は伸縮性を備える」ものとすることができる。
【００１９】
「伸縮性を備える」帯状部材としては、ゴムバンド、帯状とした編物地を例示することができる。
【００２０】
上記構成によれば、帯状部材が伸縮性を有しているため、筒状の非結着部を引き拡げながら長尺板材を挿通させることができる。これにより、本発明の木製マットを製造するに当たり、複数の長尺板材を連結する作業が、より容易なものとなる。また、筒状の非結着部の内周の大きさが、長尺板材の外周より小さめとなるように帯状部材を結着すれば、非結着部を引き拡げながら挿通させた長尺板材は、非結着部で締め付けられるように保持される。これにより、木製マットに横になった人が寝返りをする等により、長尺板材に長軸方向に力が加わっても、非結着部に挿通された長尺板材がずれにくく、また、長尺板材が非結着部から抜けにくいものとなる。
【発明の効果】
【００２１】
以上のように、本発明の効果として、寝心地よく、直接その上に横になって眠ることが可能な木製マットを、提供することができる。
【図面の簡単な説明】
【００２２】
【図１】本発明の一実施形態の木製マットの斜視図である。
【図２】連結部材による長尺板材の連結を説明する図である。
【図３】使用者の身体のラインに沿った木製マットのたわみを説明する図である。
【発明を実施するための形態】
【００２３】
以下、本発明の一実施形態である木製マット１について、図１乃至図３を用いて説明する。木製マット１は、図１及び図２に示すように、木製で厚さ（Ｄ）が５ｍｍ、幅が２０ｍｍ（Ｗ１）及び３０ｍｍ（Ｗ２）の複数の長尺板材１０と、二重に重ね合わされた可撓性の帯状部材２１が所定間隔で縫着されており、筒状の非縫着部２３に長尺板材１０を挿通させることにより、長尺板材１０を幅方向に連結している連結部材２０とを具備している。また、上記構成において、長尺板材１０の長軸方向に直交する方向において、全長Ｌに対して約１／３の長さの中間領域Ｍは、幅３０ｍｍ（Ｗ２）の長尺板材１０で形成されており、それに隣り合う領域は幅２０ｍｍ（Ｗ１）の長尺板材１０で形成されている。更に、上記構成の木製マット１は、連結部材２０を二本のみ備えており、長尺板材１０はそれぞれの一端側と他端側とで非縫着部２３に挿通されることにより連結されている。ここで、「非縫着部２３」が、本発明の「非結着部」に相当する。
【００２４】
より詳細に説明すると、長尺板材１０はスギの無垢材で形成されており、何れも厚さ（Ｄ）は５ｍｍである。幅については、幅が２０ｍｍ（Ｗ１）のものを３６本、幅が３０ｍｍ（Ｗ２）のものを１９本、計５５本使用している。そして、長尺板材１０の長軸方向に直交する方向において、両端の二本、及び、中間領域Ｍの１５本には幅３０ｍｍ（Ｗ２）の長尺板材１０を使用し、残部に幅２０ｍｍ（Ｗ１）の長尺板材１０を使用している。なお、それぞれの長尺板材１０は、単一の略矩形断面を有する細長い平板であり、角部は面取り処理がなされている。また、本実施形態では、複数の長尺板材１０の長さは、７５ｃｍ〜１００ｃｍの範囲の同一長さとしている。
【００２５】
二本の連結部材２０は、それぞれ布製の帯状部材２１を二枚重ねた上で、上記のサイズの長尺板材１０を上記の順に挿通できるよう所定間隔をあけて縫着され、縫着部２２が形成されている。かかる構成により、図２に示すように、二枚の帯状部材２１が縫着されていない非縫着部２３は筒状となり、ここに長尺板材１０を挿通することにより、複数の長尺板材１０を連結することができ、縫着部２２の幅に応じて長尺板材１０間に隙間が形成される。なお、本実施形態では、長尺板材１０間に約４ｍｍの隙間が形成される設定としている。
【００２６】
上記構成により、本実施形態の木製マット１によれば、木製の長尺板材１０の厚さ（Ｄ）を５ｍｍ、幅を２０ｍｍ（Ｗ１）及び３０ｍｍ（Ｗ２）とすることにより、人の体重を支える機械的強度を維持しつつ、長尺板材１０がたわむ作用を十分に得ることができる。これにより、図３に示すように、敷き布団９１等の上に本発明の木製マット１を置き、その上に人９０が横になれば、かかる体重に応じて木製マット１が身体のラインに沿うようにたわむ。従って、木製マット１の上に横になっても、身体に痛みを感じることなく、寝心地が良い。
【００２７】
そして、隣接する長尺板材１０の間には、縫着部２２の幅に応じて空隙が形成されている。これにより、通気性が確保され、気温の高い夏季においても、空気の流通によって寝具の温度が上昇することが防止されるため、心地よく眠ることができる。また、木材の調湿作用によって、木材マットの周囲の湿度が調整される。
【００２８】
また、本実施形態では、連結部材２０として、布製の帯状部材２１を所定間隔で縫着したものを使用している。これにより、連結部材２０自体を簡易に製造できることに加え、連結部材２０の非縫着部２３に長尺板材１０を挿通するのみの簡易な作業で、複数の長尺板材１０を連結することができる。また、万一、長尺板材１０の一部に折れや汚れ等の不具合が生じた場合であっても、その長尺板材１０のみを非縫着部２３から抜き取って、新たな長尺板材１０を挿通させるのみの極めて簡易な作業で、長尺板材１０の交換を行うことができる。すなわち、正常な長尺板材１０に何ら影響を与えることなく、不具合の生じた長尺板材１０のみを、簡易に新品と交換することができる。
【００２９】
そして、連結部材２０は布製の帯状部材２１で形成されているため、長尺板材１０がたわむ作用を損なうことなく長尺板材１０を連結することができる。特に、本実施形態では、木製マット１一枚当たり連結部材２０は二本のみであり、長尺板材１０は両端側のみで連結されている。従って、それぞれの長尺板材１０は、中間部分で大きくたわむことが可能であり、使用者の身体のラインに沿ってよりたわみ易く、木製マット１が身体に馴染み易いものとなっている。
【００３０】
また、長尺板材１０は厚さ５ｍｍと薄く、幅も２０ｍｍ及び３０ｍｍと短く、可撓性の連結部材２０で連結されているため、不使用時には巻いた状態でコンパクトに収納することができる。
【００３１】
加えて、本実施形態では、木製マット１の全長Ｌに対して約１／３の長さの中間領域Ｍで、幅３０ｍｍ（Ｗ２）の幅広の長尺板材１０を使用しているため、体重が最もかかる腰から尻の部分で機械的強度が高く、使用者の身体を安定的に支えることができる。
【００３２】
更に、本実施形態では、長尺板材１０の長軸方向に直交する方向の両端二枚ずつに、幅３０ｍｍ（Ｗ２）の幅広の長尺板材１０を使用している。そのため、木製マット１を巻いたり運んだり等の取り扱いが、し易いものとなっている。
【００３３】
また、帯状部材２１が布製であるため、その材質、色、柄などによって、木製マット１のデザイン性を高めることができると共に、デザインの多様化を図ることが可能である。
【００３４】
なお、筒状の非縫着部２３の内周の長さを長尺板材１０の外周の長さとほぼ一致させれば、長尺板材１０がきっちりと非縫着部２３の内周面に接した状態で連結され、長尺板材１０のたわみ具合が低減する。逆に、非縫着部２３の内周を、長尺板材１０の外周の長さに比べて余裕を持たせた長さとすれば、長尺板材１０が非縫着部２３との間に形成される隙間で動きやすく、よりたわみ易いものとなる。従って、長尺板材１０の材質及びサイズが同一の場合であっても、帯状部材２１の縫着の仕方によって、木製マット１のたわみ具合を異ならせることができる。
【００３５】
以上、本発明について好適な実施形態を挙げて説明したが、本発明は上記の実施形態に限定されるものではなく、本発明の要旨を逸脱しない範囲において、種々の改良及び設計の変更が可能である。
【００３６】
例えば、上記の実施形態では、敷き布団９０等の上に敷く大型の木製マット１を説明したが、これに限定されず、図１及び図２に木製マット１と共に図示したように、枕９２の上に敷く小型の木製マット２とすることができる。このような木製マット２は、例えば、厚さ５ｍｍ、幅２０ｍｍ、長さ５０ｍｍの長尺板材１０ｂを使用し、全長１５〜３０ｍｍとなるように連結部材２０ｂで連結することにより、形成することができる。
【００３７】
また、上記では、長尺板材１０をスギ製とした場合を例示したが、これに限定されず、例えばヒノキ製とすることができる。ヒノキ製とした場合、木の香り成分には鎮静作用の他、抗菌作用があると言われているため、カビが発生しにくく腐食しにくい木製マットとなることが期待される。
【００３８】
加えて、上記では、帯状部材２１を布製とした場合を例示し、筒状の非縫着部２３の内周の大きさで、長尺板材１０のたわみ具合を調整できることを説明したが、これに限定されず、帯状部材として伸縮性を備えるものを使用することも可能である。この場合は、帯状部材の伸縮性を利用して、筒状の非縫着部を引き拡げながら長尺板材を挿通させることができるため、木製マットの製造に当たり、複数の長尺板材を連結する作業が、より容易なものとなる。
【００３９】
また、帯状部材が伸縮性を備える場合は、筒状の非縫着部の内周を長尺板材の外周より小さめとしても、長尺板材を挿通させることができ、非縫着部を引き拡げながら挿通された長尺板材は、非縫着部で締め付けられるように保持される。これにより、木製マットの上に横になった人の寝返りなどに起因して、長尺板材に長軸方向に力が加わっても、非縫着部に挿通された長尺板材がずれにくく、また、長尺板材が非縫着部から抜けにくいものとなる。
【００４０】
なお、上記の木製マット１は、敷き布団やマットレス等の上に敷いて、その上に直接横になって使用できるものであるが、木製マット１の上面に薄い敷き物を敷いた上で、横になって使用することもできる。
【符号の説明】
【００４１】
１，２  木製マット
１０，１０ｂ  長尺板材
２０，２０ｂ  連結部材
２１  帯状部材
２２  縫着部
２３  非縫着部（非結着部）
Ｌ  全長
Ｍ  中間領域
【図１】
2012055338.tif 000003
【図２】
2012055338.tif 000004
【図３】
2012055338.tif 000005